(57)【要約】【課題】嵌合を解除した時にレバーを所定の位置まで確実に回転させる。【解決手段】レバー４５を解除方向５２に回転させると、ピニオン突起５４が雌コネクタ１２の前端４１に向けてラック部２５を押圧し、嵌合が浅くなる。レバー４５が解除位置まで正常に回転すると係止解除部３２が被押圧部６１を押圧し、突出部５５が係止面６２より解除方向５２前方まで移動する。ラック部２５がレバー４５から離れるとき、レバー押圧部３１がピニオン突起５４を押圧してレバー４５を解除方向５２に回転させる。突出部５５が係止面６２よりも解除方向５２の後ろに位置したままであっても、雌コネクタ１２を雄コネクタ１１から引き離す際にレバー押圧部３１がレバー４５を強制的に解除方向５２に回転させるため、引き離した後に突出部５５が係止面６２より解除方向５２前方に移動する。【選択図】図５
2008204718.tif 000002
【特許請求の範囲】
【請求項１】
仮嵌合状態で仮係止位置に導入される係合子を有する第１のコネクタと、少なくとも第１の位置と第２の位置との間で回転自在に保持されたレバーであって前記第１の位置から前記第２の位置に向かう第１の回転方向に回転する際に前記係合子を前記仮係止位置から本係止位置まで押圧して係止し、前記第２の位置から前記第１の位置に向かう第２の回転方向に回転する際に前記係合子を前記本係止位置から前記仮係止位置まで押圧するレバーを有する第２のコネクタと、を備えるコネクタ組立体であって、
前記第２のコネクタは、前記レバーを前記第１の位置に係止し、押圧されると弾性的に変位して前記係止部の係止を解除するレバー係止手段を更に備え、
前記第１のコネクタは、前記仮嵌合状態で前記レバー係止手段を押圧する係止解除部と、前記仮嵌合状態から前記第１のコネクタを前記第２のコネクタから離脱させるとき前記レバーが前記第１の位置と前記第２の位置の間に位置している前記レバーを前記第２の回転方向に押圧するレバー押圧部と、を更に備える、
コネクタ組立体。
【請求項２】
前記レバー押圧部は、更に、前記第１のコネクタが前記第２のコネクタから離れるとき前記第１の位置に位置している前記レバーを前記第２の回転方向に押圧する、
請求項１のコネクタ組立体。
【請求項３】
前記係合子と係止解除部と前記レバー押圧部とは一体に形成されている、
請求項１又は請求項２のコネクタ組立体。
【請求項４】
前記係合子は、ラックを構成する溝を有し、
前記レバーは、ピニオンを構成する突起を有し、前記突起を前記ラック溝に噛み合わせることによって前記係合子を押圧し、
前記レバー押圧部は、前記突起を押圧する、
請求項１から請求項３のいずれかのコネクタ組立体。
【発明の詳細な説明】
【技術分野】
【０００１】
本発明は、コネクタ組立体に関し、特に、レバーを回転させて２つのコネクタを嵌合させるコネクタ組立体に関する。
【背景技術】
【０００２】
特許文献１にはレバーを回転させることによって嵌合させる２つのコネクタが開示されている。開示された一方のコネクタは回転可能に軸支されたレバーと、レバーと共に回転する歯を備え、他方のコネクタはレバーの歯に噛み合わされるラックを備えている。開示された２つのコネクタを嵌合する際には浅い嵌合状態で一方のコネクタのレバーの歯を他方のコネクタのラックに噛み合わせながら回転させることによって嵌合を深くする。レバーを嵌合時と逆方向に回転させてレバーの歯とラックの噛み合わせを解除するとコネクタを引き離すことができるようになる。
【０００３】
【特許文献１】特開平１１−１８５８７２号公報
【発明の開示】
【発明が解決しようとする課題】
【０００４】
特許文献１のような構造のコネクタでは、嵌合を解除した後のレバーの位置が定まっていないため、再嵌合時にレバーが嵌合に適した位置に配設されているとは限らないため、スムーズに再嵌合することができない。
【０００５】
本発明は、嵌合を解除した後にレバーを所定の位置まで確実に回転させることができるコネクタ組立体を提供することを目的とする。
【課題を解決するための手段】
【０００６】
第１のコネクタ組立体は、仮嵌合状態で仮係止位置に導入される係合子を有する第１のコネクタと、少なくとも第１の位置と第２の位置との間で回転自在に保持されたレバーであって第１の位置から第２の位置に向かう第１の回転方向に回転する際に係合子を仮係止位置から本係止位置まで押圧して係止し、第２の位置から第１の位置に向かう第２の回転方向に回転する際に係合子を本係止位置から仮係止位置まで押圧するレバーを有する第２のコネクタと、を備えるコネクタ組立体であって、第２のコネクタは、レバーを第１の位置に係止し、押圧されると弾性的に変位して係止部の係止を解除するレバー係止手段を更に備え、第１のコネクタは、仮嵌合状態でレバー係止手段を押圧する係止解除部と、仮嵌合状態から第１のコネクタを第２のコネクタから離脱させるときレバーが第１の位置と第２の位置の間に位置しているレバーを第２の回転方向に押圧するレバー押圧部とを更に備える。
【０００７】
第２のコネクタ組立体では第１のコネクタ組立体において、第１のコネクタが第２のコネクタから離れるときレバー押圧部が更に第１の位置に位置しているレバーを第２の回転方向に押圧する。
【０００８】
第３のコネクタ組立体では第１又は第２のコネクタ組立体において、係合子と係止解除部とレバー押圧部とが一体に形成されている。
【０００９】
第４のコネクタ組立体では第１から第３のいずれかのコネクタ組立体において、係合子がラックを構成する溝を有し、レバーがピニオンを構成する突起を有しており突起をラック溝に噛み合わせることによって係合子を押圧し、レバー押圧部が突起を押圧する。
【発明の効果】
【００１０】
この発明によれば、嵌合を解除した時にレバーを所定の位置まで確実に回転させることができるコネクタ組立体を得ることができる。
【発明を実施するための最良の形態】
【００１１】
図１は嵌合前のコネクタ組立体１０の斜視図である。図１に示すように本実施形態のコネクタ組立体１０は雄コネクタ１１と雌コネクタ１２で構成され、仮嵌合状態では雄コネクタ１１を雌コネクタ１２から所定方向に離すことができ、本嵌合状態にすると所定方向に引いても離れなくなる。
【００１２】
図１に示すように雄コネクタ１１は雄ハウジング２０によって嵌合穴２３を規定している。嵌合穴２３は雄ハウジング２０の前端２１で前方に向かって開口し後端２２に向かって窪んだ形状をもち、前端２１から後端２２に向かって挿入される雌コネクタ１２を受け入れる。
【００１３】
雄ハウジング２０の後端２２には複数の雄端子２４が保持されており、各雄端子２４は雄ハウジング２０の後端２２から前方に向かって嵌合穴２３内に直線的に突設され、他端は基板に取り付けられるように雄ハウジング２０外にＬ字状に突設されている。嵌合穴２３内には前後方向に直交する幅方向に複数の雄端子２４を並設して構成される段が、前後方向及び幅方向に直交する上下方向に複数段配設されている。
【００１４】
嵌合穴２３を規定している雄ハウジング２０の内部上面２６の前端２１には下方に向かって係合子としてのラック部２５が突設されている。
【００１５】
図２は図１の２−２線を通り前後方向及び幅方向に広がる水平面でコネクタ組立体１０を切断したときの断面図である。図２では簡単のため雄端子２４を省略する。図２に示すように雄コネクタ１１のラック部２５はラック溝３０とレバー押圧部３１と係止解除部３２を有している。ラック溝３０は幅方向に凹設されている。レバー押圧部３１はラック溝３０の前方に配設されラック溝３０の開口方向と同一方向に隆設されている。係止解除部３２はラック溝３０の開口方向と逆方向に隆設されている。なお、レバー押圧部３１及び係止解除部３２はラック部２５と一体に形成されたものに限らない。
【００１６】
図１に示すように雌コネクタ１２は雌ハウジング４０を備えている。雌ハウジング４０は雄コネクタ１１の嵌合穴２３に嵌合可能な形状をもち、雌ハウジング４０の前端４１が嵌合時に嵌合穴２３の奥に挿入され、雌ハウジング４０の後端４２が嵌合時に嵌合穴２３の外にとどまるように構成されている。
【００１７】
雌ハウジング４０内には複数の雌端子４３が配設され、各雌端子４３は雌ハウジング４０の前端４１から雌ハウジング内４０の後端４２側奥に向かって延びて、雌端子４３の後側は電線と接続される。各雌端子４３は嵌合時に雄コネクタ１１の雄端子２４に接触するように配設されている。
【００１８】
雌ハウジング４０の上部にはレバー保持穴４４が規定されている。レバー保持穴４４の内部にはレバー４５が両方向に回転自在に軸支され、後端４２から前端４１に向かってレバー係止部４６が延設されている。
【００１９】
図２では明確にするため雌端子４３を省略し、レバー４５については断面ではなく全体像を示している。レバー４５は図２に示すように軸受け５０によりレバー保持穴４４内に軸支され、互いに逆方向の嵌合方向５１及び解除方向５２に回転可能に保持されている。雄コネクタ１１と雌コネクタ１２の嵌合が解除されたときレバー４５は図２に示すような解除位置にあり、雄コネクタ１１と雌コネクタ１２を完全に嵌合させるときはレバー４５を解除位置から嵌合方向５１に嵌合位置まで回転させる。雄コネクタ１１と雌コネクタ１２の嵌合を解除するときはレバー４５を嵌合位置から解除方向５２に解除位置まで回転させる。
【００２０】
レバー４５は更に当接面５３、ピニオン突起５４、突出部５５、及び、ロックアーム５６を有している。当接面５３は解除方向前方に向かって配設され、解除位置において前端４１を通じて前方に露出されている。仮嵌合状態で雄コネクタ１１のラック部２５が当接面５３に当接する。ピニオン突起５４は回転中心から外側に向かう半径方向に突設され、当接面５３より嵌合方向５１の後側に配設されている。突出部５５は回転中心から外側に向かう半径方向外側の縁部から更に外側に向かって突設されている。レバー４５が嵌合位置にあるときロックアーム５６は雌ハウジング４０に係止されてレバー４５を固定する。グリップ５７はレバー４５を操作しやすいようにレバー４５が解除位置にあるとき雌ハウジング４０の後端４２から後方に突出するように配設されている。
【００２１】
レバー係止部４６は支持部６０、被押圧部６１、及び、係止面６２を有する。支持部６０は後端４２側の一端で固定され前端４１側の他端で被押圧部６１に接続され、固定された一端を中心に被押圧部６１を弾性的に揺動させる。被押圧部６１は解除位置にあるレバー４５の当接面５３と前端４１との間でレバー４５に向かって突設され、少なくとも前端４１から導入されたラック部２５が当接面５３に当接するまでの経路中に突出するように配設されている。係止面６２は被押圧部６１の下方にレバー４５の解除方向５２前方に向くように配設され、解除位置にあるレバー４５の突出部５５よりも嵌合方向５１の前側に位置するように配設されている。被押圧部６１が係止解除部３２に押圧されると係止面６２が係止解除部３２と共にレバー４５から離れる方向に移動し、係止解除部３２に力が加えられなくなると支持部６０の弾性力によって係止面６２が係止解除部３２と共にレバー４５に近づく方向に移動する。
【００２２】
次に、コネクタ組立体１０の嵌合動作について説明する。まず、図１に示すように雄コネクタ１１と雌コネクタ１２が離れているときにはレバー係止部４６の係止面６２にレバー４５の突出部５５が係止されているためレバー４５を嵌合方向５１に回転させることができない。
【００２３】
図３は雄コネクタ１１の嵌合穴２３内に雌コネクタ１２の前端４１を挿入して仮嵌合させた状態を示す。仮嵌合状態ではラック部２５がレバー４５の当接面５３に当接している。ラック部２５が当接面５３に当接しているとき係止解除部３２が被押圧部６１を押圧することによって係止面６２が突出部５５から外れ、レバー４５を嵌合方向５１に回転させることができるようになる。以下、レバー４５を回転させることが可能である一方で、雄コネクタ１１を雌コネクタ１２から離すことも可能となるようなラック部２５の位置を仮係止位置と呼ぶ。
【００２４】
仮嵌合状態でレバー４５を嵌合方向５１に回転させるとピニオン突起５４がラック溝３０に噛み合ってラック部２５を雌コネクタ１２の後端４２に向かって押圧する。ラック部２５を押圧することによって雄コネクタ１１が雌コネクタ１２に引き寄せられて嵌合が深くなる。レバー４５を嵌合位置まで回転させると図４に示すように雄コネクタ１１が雌コネクタ１２に完全に嵌合した本嵌合状態となり、ロックアーム５６が雌ハウジング４０のレバー収容穴内上部の突起に係止される。本嵌合状態におけるラック部２５の位置を本係止位置と呼ぶ。ラック部２５は本係止位置でピニオン突起５４と完全に噛み合う。
【００２５】
次に、コネクタ組立体１０の嵌合解除動作について説明する。図４に示す嵌合位置でロックアーム５６を押し下げて係止を解除するとレバー４５を回転させることができるようになる。レバー４５を嵌合位置から解除方向５２に回転させると、ピニオン突起５４が雌コネクタ１２の前端４１に向けてラック部２５を押圧する。ピニオン突起５４がラック部２５を押圧することによって雄コネクタ１１と雌コネクタ１２の嵌合が浅くなる。
【００２６】
レバー４５が解除位置まで正常に回転すると図３と同様に係止解除部３２が被押圧部６１を押圧し、突出部５５が係止面６２より解除方向５２前方まで移動する。解除位置では雌コネクタ１２を雄コネクタ１１から直線的に引き離すことができるようになる。ラック部２５がレバー４５から離れるとき、レバー押圧部３１がピニオン突起５４を押圧してレバー４５を解除方向５２に回転させる。
【００２７】
図５に示すようにレバー４５が解除位置まで正常に回転せず、突出部５５が係止面６２よりも解除方向５２の後ろに位置したままであっても、雌コネクタ１２を雄コネクタ１１から引き離す際にレバー押圧部３１がレバー４５を強制的に解除方向５２に回転させるため、レバー４５が解除位置まで回転し、突出部５５が係止面６２より解除方向５２前方に移動する。
【００２８】
即ち、本実施形態のコネクタ組立体１０によれば嵌合を解除した後でレバー４５を確実に解除位置まで回転させることができ、次に雄コネクタ１１を雌コネクタ１２に嵌合しやすくなる。
【００２９】
なお、レバー押圧部３１は、レバー４５が解除位置に到達せず解除位置と嵌合位置の間に位置しているときにのみピニオン突起５４に当接するものであってもよいが、確実にレバー４５を解除位置まで回転させるために、レバー４５が解除位置にあるときにもピニオン突起５４に当接するように構成されていることが好ましい。
【図面の簡単な説明】
【００３０】
【図１】嵌合前のコネクタ組立体の斜視図である。
【図２】図１のコネクタ組立体の２−２断面図である。
【図３】仮嵌合状態における図２のコネクタ組立体の断面図である。
【図４】完全な嵌合状態における図２のコネクタ組立体の断面図である。
【図５】レバーを解除位置付近まで回転させたときの図２のコネクタ組立体の断面図である。
【符号の説明】
【００３１】
１０  コネクタ組立体
１１  雄コネクタ
１２  雌コネクタ
２０  雄ハウジング
２１  前端
２２  後端
２３  嵌合穴
２４  雄端子
２５  ラック部（係合子）
２６  内部上面２６
３０  ラック溝
３１  レバー押圧部
３２  係止解除部
４０  雌ハウジング
４１  前端
４２  後端
４３  雌端子
４４  レバー保持穴
４５  レバー
４６  レバー係止部
５０  軸受け
５１  嵌合方向
５２  解除方向
５３  当接面
５４  ピニオン
５５  突出部
５６  ロックアーム
５７  グリップ
６０  支持部
６１  被押圧部
６２  係止面
【図１】
2008204718.tif 000003
【図２】
2008204718.tif 000004
【図３】
2008204718.tif 000005
【図４】
2008204718.tif 000006
【図５】
2008204718.tif 000007